(57)【要約】【課題】紫外線光源の表面に付着した異物を効率よく除去することができる機構を備えた紫外線照射水処理装置を提供する。【解決手段】処理槽１１内に配置した円柱形状の紫外線光源１２と、紫外線光源の表面を清掃する清掃手段１６と、清掃手段を支持する支持手段１７と、支持手段を介して清掃手段を紫外線光源の表面に沿って移動させる移動手段であるネジ棒１３，雌ねじ部１８及びモータとを備え、支持手段は、紫外線光源の外径より大きな内径を有する回転体支持部１９を備え、清掃手段は、回転体支持部に回転可能に支持されて紫外線光源の軸線を中心にして回転する回転体２２と、回転体に設けられて処理槽内を流れる水の力によって回転体を回転させるための羽根部材２３と、回転体に設けられて紫外線光源の表面に摺接する清掃部材であるブラシ２４とを備えている。【選択図】図１
2014161768.tif 000002
【特許請求の範囲】
【請求項１】
処理水に紫外線を照射する紫外線照射水処理装置において、被処理水が流れる処理槽内に配置された円柱形状の紫外線光源と、該紫外線光源の表面を清掃する清掃手段と、該清掃手段を支持する支持手段と、該支持手段を介して前記清掃手段を前記紫外線光源の表面に沿って移動させる移動手段とを備え、前記支持手段は、前記紫外線光源の外径より大きな内径を有する回転体支持部を備え、前記清掃手段は、前記回転体支持部に回転可能に支持されて前記紫外線光源の軸線を中心にして回転する回転体と、該回転体に設けられて処理槽内を流れる水の力によって該回転体を回転させるための羽根部材と、前記回転体に設けられて前記紫外線光源の表面に摺接する清掃部材とを備えていることを特徴とする紫外線照射水処理装置。
【請求項２】
前記移動手段は、前記紫外線光源に対して平行に設けられたネジ棒と、該ネジ棒を回転させる駆動手段と、前記支持手段に設けられて前記ネジ棒に螺合する雌ねじ部とを備えていることを特徴とする請求項１記載の紫外線照射水処理装置。
【発明の詳細な説明】
【技術分野】
【０００１】
本発明は、紫外線照射水処理装置に関し、詳しくは、浄水処理や下水処理等において、紫外線を用いて水中の微生物の殺菌や有機物の酸化を行う紫外線照射水処理装置に関する。
【背景技術】
【０００２】
従来から、紫外線を照射して、水に含まれる微生物や病原性原虫の殺菌や消毒をする紫外線照射水処理装置が開発されており、この紫外線照射水処理装置として、被処理水が流通する処理槽の水路内に、紫外線光源を設置して紫外線照射を行うものが知られている（例えば、特許文献１参照。）。
【先行技術文献】
【特許文献】
【０００３】
【特許文献１】特開２０１２−１７９５３８号公報
【発明の概要】
【発明が解決しようとする課題】
【０００４】
しかし、長時間使用すると、水中の異物が紫外線光源の表面に付着し、紫外線の照射効率を低下させてしまうため、定期的に紫外線光源の表面を清掃し、異物を除去する必要がある。
【０００５】
そこで本発明は、紫外線光源の表面に付着した異物を効率よく除去することができる機構を備えた紫外線照射水処理装置を提供することを目的としている。
【課題を解決するための手段】
【０００６】
上記目的を達成するため、本発明の紫外線照射水処理装置は、処理水に紫外線を照射する紫外線照射水処理装置において、被処理水が流れる処理槽内に配置された円柱形状の紫外線光源と、該紫外線光源の表面を清掃する清掃手段と、該清掃手段を支持する支持手段と、該支持手段を介して前記清掃手段を前記紫外線光源の表面に沿って移動させる移動手段とを備え、前記支持手段は、前記紫外線光源の外径より大きな内径を有する回転体支持部を備え、前記清掃手段は、前記回転体支持部に回転可能に支持されて前記紫外線光源の軸線を中心にして回転する回転体と、該回転体に設けられて処理槽内を流れる水の力によって該回転体を回転させるための羽根部材と、前記回転体に設けられて前記紫外線光源の表面に摺接する清掃部材とを備えていることを特徴としている。
【０００７】
さらに、本発明の紫外線照射水処理装置は、前記移動手段が、前記紫外線光源に対して平行に設けられたネジ棒と、該ネジ棒を回転させる駆動手段と、前記支持手段に設けられて前記ネジ棒に螺合する雌ねじ部とを備えていることを特徴としている。
【発明の効果】
【０００８】
本発明の紫外線照射水処理装置によれば、処理槽内を流れる水の力で清掃手段を回転させるので、紫外線光源の表面の清掃を効果的に行うことができる。
【図面の簡単な説明】
【０００９】
【図１】本発明の紫外線照射水処理装置の一形態例を示す処理槽の断面正面図である。
【図２】同じく要部の断面側面図である。
【発明を実施するための形態】
【００１０】
図１及び図２に示す紫外線照射水処理装置は、一端側に流入部を、他端側に流出部を有する円筒状の処理槽１１の内部に、処理槽１１内の水の流れＷに平行な方向に、６本の円柱形状の紫外線光源１２を同一円周上に等間隔で配置したものであって、処理槽１１の軸線上には、紫外線光源１２の軸線と平行な方向に、両端部がベアリング１３ａで支持されたネジ棒１３が回転可能に配置されるとともに、ネジ棒１３を挟んで２本のガイド棒１４がネジ棒１３と平行に配置されている。また、処理槽１１の一端外側には、前記ネジ棒１３を回転駆動するための駆動手段であるモータ１５が設けられている。
【００１１】
前記紫外線光源１２の周囲には、該紫外線光源１２の表面を清掃する清掃手段１６がそれぞれ設けられ、各清掃手段１６は、前記ネジ棒１３の回転によって処理槽１１内を往復動する支持手段１７にそれぞれ回転可能に支持されている。支持手段１７は、円板状の部材からなるものであって、該支持手段１７の中央部には、前記ネジ棒１３に螺合する雌ねじ部１８が設けられて支持手段１７の移動手段を構成するとともに、支持手段１７の外周部には、前記清掃手段１６をそれぞれ支持するための回転体支持部１９が、紫外線光源１２に対応して周方向に等間隔で６箇所に設けられ、さらに、雌ねじ部１８を挟む位置には、前記ガイド棒１４が挿通される２個のガイド孔２０が設けられている。回転体支持部１９は、前記紫外線光源１２の外径より大きな内径を有する円形の開口であって、この回転体支持部１９の内周に、ベアリング２１を介して前記清掃手段１６が設けられている。
【００１２】
清掃手段１６は、前記ベアリング２１に支持された外回転体２２ａ及び内回転体２２ｂとからなる回転体２２と、外回転体２２ａと内回転体２２ｂとの間に設けられた羽根部材２３と、前記内回転体２２ｂの内周に設けられて前記紫外線光源１２の表面に摺接する清掃部材、例えばブラシ２４とを備えている。羽根部材２３は、処理槽１１内の水の流れ方向に対してあらかじめ設定された角度だけ同一方向に傾斜した状態で設けられており、処理槽１１内を流れる水の力によって回転体２２を一定の方向に回転させることができるように形成されている。
【００１３】
このように形成した紫外線照射水処理装置は、処理槽１１内に被処理水を流通させるとともに、紫外線光源１２を作動させて被処理水に紫外線を照射することにより、被処理水の紫外線処理を行うことができる。そして、前記モータ１５を作動させてネジ棒１３を所定方向に回転させると、ネジ棒１３に螺合した雌ねじ部１８がネジ棒１３の回転方向に応じて支持手段１７が処理槽１１の上流側又は下流側に向かって移動する。また、モータ１５は、支持手段１７が処理槽１１の上流端又は下流端に到達したときに、図示しないリミットスイッチなどの作用によって逆回転し、支持手段１７を処理槽１１内で往復動させる。このとき、清掃手段１６は、処理槽１１内を流れる水の力によって羽根部材２３が回転体２２を回転させ、内回転体２２ｂの内周に設けたブラシ２４が紫外線光源１２の表面に摺接し、表面に付着した異物を除去する。
【００１４】
すなわち、清掃手段１６のブラシ２４は、羽根部材２３の作用で回転する回転体２２によって紫外線光源１２の表面を周方向に回転しながら、移動手段であるモータ１５とネジ棒１３及び雌ねじ部１８との作用によって上流側又は下流側に向かって軸線方向に移動することになるので、ブラシなどの清掃部材を紫外線光源の軸線方向に直線的に移動させるだけのものに比べて、紫外線光源１２の表面の清掃を効果的に行うことができる。
【００１５】
なお、処理槽は角筒状であってもよく、紫外線光源の数も任意である。また、支持手段の形状も任意であり、ガイド棒は省略することができる。
【符号の説明】
【００１６】
１１…処理槽、１２…紫外線光源、１３…ネジ棒、１３ａ…ベアリング、１４…ガイド棒、１５…モータ、１６…清掃手段、１７…支持手段、１８…雌ねじ部、１９…回転体支持部、２０…ガイド孔、２１…ベアリング、２２…回転体、２２ａ…外回転体、２２ｂ…内回転体、２３…羽根部材、２４…ブラシ
【図１】
2014161768.tif 000003
【図２】
2014161768.tif 000004